(57)【要約】【課題】  夏季晴天時に屋外の駐車場で野ざらしで放置すれば、自動車内は数分で高温の状態になり、不快な運転を強いられる課題を有していた。この課題を克服するため、空気入りシートと両側に補強材を持つ簾を重ね合せ、補強構成のクリップでつかみ連結紐を介して車に保持し取付できるようにした。【解決手段】  自動車天面に空気入りシート３と、その上部に補強材４を持つ簾５を重ね合せて、車体窓側に補強材４が位置するように配備し、クリップ７を挟持させ保持する。更に前記クリップに保持紐９を締結し端末を車体に固定する。前記クリップ７の先端噛み合わせ部１３は補強材とシート３を包含する空間１４を有し、挟持部爪は凹凸に噛み合わせた成形形状の爪１５を有した爪付クリップを備えた車体用断熱カバーを提供する。【選択図】図３
2013241168.tif 000002
【特許請求の範囲】
【請求項１】
自動車の天板塗装面に備えた空気入りシートと、該シートの上部に重ねた補強材を持つ簾と、前記シートと補強材を挟み保持するクリップと、保持紐とを備えたことを特徴とする車体用断熱カバー。
【請求項２】
前記、クリップの先端噛み合わせ部に前記シートと補強材を包含する空間を有し、挟持部には凹凸に噛み合わせた成形形状を有した爪を備えたことを特徴とする請求項１に記載する車体用断熱カバー。
【発明の詳細な説明】
【発明の詳細な説明】
【技術分野】
【０００１】  本発明は、夏季の日光照射による自動車車体天板塗装面に蓄熱した照射熱が自動車内に熱伝達することを防止するために、車体天板上に断熱具を配備し、照射熱を遮断した車体用断熱カバーに関する。
【背景技術】
【０００２】  従来は実新公開広報６１−１２９６１４、実新公開広報６１−１９６１２１、実新公開広報６３−１２４５２１、特開２０１０−１６３１５０で見られるように、フロントガラスの氷結防止シート等を兼ねた断熱具の特許請求があったが、空気入りシートと簾を自動車天板面に備えることで日光照射熱を遮断し、自動車内への熱伝達による温度上昇防止についての改善請求はなかった。
【発明が解決しようとする課題】
【０００３】  しかし、そのような方法では夏季晴天時に屋外の駐車場で野ざらしで放置すれば、自動車内はすぐに高温の状態になり、不快な運転を強いられる課題を有していた。一方、市場では断熱シートを被せるだけで簡易的に取付でき、車体からの熱伝達を緩和し自動車内の温度上昇を低下させることが出来る車体用断熱カバーの開発が望まれていた。
【０００４】  そこで、本発明者は車体用断熱カバーにおいて、前記課題を解消させるため夏季に軒先で使用する簾と梱包に使用する空気入りシートを重ね合せ、車体塗装面に傷が付かないように天板塗装側に空気入りシートを配備し、その上に簾を被せることで、強風等で吹き飛ばされないように押えこむ構成にした。双方の部材とも熱伝道率が低く、空気層を持っているため、通気性に優れ、日光照射熱が直接車体に伝わりにくい特徴がある。また、自動車の天板塗装面に配備した簾の補強材を保持するクリップと保持紐を備えたので、簾を束ねる両側の補強材は簾を均一に拡張し、空気入りシートを弛みなく保持するのに有効になった。このような車体用断熱カバーを提供するべく鋭意研究を重ねた結果本発明に至ったのである。
【課題を解決するための手段】
【０００５】  本発明に係る車体用断熱カバーの要旨とするところは、自動車の天板塗装面に備えた空気入りシートと、該シートの上部に重ねた補強材を持つ簾と、前記シートと補強材を挟み保持するクリップと、保持紐とを備えたことにより構成されたので、軟弱な樹脂製シートと簾の補強材取付部は挟持するクリップにより補強され、シートと簾を弛みなく均一に拡張し設置できるので強風などでシートが車体から吹き飛ばされることも改善され、車体の天面からの照射熱による自動車内の温度上昇を低下させたことにある。
【０００６】  また、本発明に係る車体用断熱カバーにおいて、空気入りシートと、簾の補強材を保持すべく備えたクリップの先端噛み合わせ部が、前記シートと補強材を包含する空間を有し、挟持部には凹凸に噛み合わせた成形形状を有した爪を備えたことにより、簾の補強材と空気入りシート凹凸面を包含するように爪部が食い込み空気入りシートと簾は滑りなく保持でき、連結された保持紐を強く引っ張って保持する強度が備わった。
【発明を実施するための形態】
【０００７】  本発明に係る車体用断熱カバーは、自動車車体天板塗装面を覆うように空気入りシートと、該シート上部に補強材を持つ簾を重ね合せて配備する。該簾の補強帯と前記シートとを挟み保持するクリップをクリップ爪部が挟持するように配置する。また、前記クリップに繋がれた保持紐の端末は車扉の取っ手に保持、または車扉と車体間に挟み込み保持する。これによりこの装置による軟弱な樹脂製シートと簾の補強材は一体となり、クリップ挟持部は補強され、シートと簾を弛みなく均一に拡張し設置でき、車体天板塗装面を覆うように設置されるため車体の天面からの日光照射熱による自動車内の温度上昇は激減する。
【０００８】  また、空気入りシートと、簾の補強帯を保持すべく備えたクリップの先端噛み合わせ部が前記シートと補強材を包含する空間を有し、挟持部には凹凸に噛み合わせた成形形状を有した爪を備えた本発明の車体用断熱カバーは、前記簾の補強材と空気入りシート端部にクリップ爪部が挟持するように配置したことにより、補強材とシート凹凸面にクリップ爪部が包含する状態で効果的にシートに食い込み挟持され両者が互いに補強し合い、連結された保持紐を強く引っ張って保持す強度が備えられた。
【実施例】
【０００９】  次に、本発明に係る車体用断熱カバーの実施例について、図面に基づいて詳しく説明する。【００１０】  図１、図２、図３において、符号１は本発明に係る車体用断熱カバーである。この車体用断熱カバー１は、自動車車体天板塗装面２を覆うように空気入りシート３を配置し、該シート３上部に補強材４を持つ簾５を重ね合せて自動車車体の
窓側６に補強材４が位置するように配備する。また、簾の補強材４と前記シート３は弛みがないように重ね合せ、両端に爪付クリップ７を挟持し保持する。更に、前記クリップ中央の貫通穴８に保持紐９を通し金具１０で固定する。保持紐９の端末は車扉の取っ手１１に保持、または車扉と車体間に挟み込み保持する。１２は取手を保持するための保持具である。保持紐９の材質は撚り糸でもゴム製紐でも良い。また、簾５の材質は葦や麦わら等で編んだ植物製または樹脂製でも良い。【００１１】  図４において、クリップ７の先端噛み合わせ部１３に補強帯４と空気入りシート３を包含する空間１４を有し、爪挟持部は凹凸に噛み合わせた成形形状１５を有した爪付クリップを備えた。また、このクリップの中央に位置するバネ支点部１６に貫通穴８を形成し、保持紐９を挿通し金具１０で締結した。１７はクリップ用バネである。爪付クリップの材質はステンレス材又は耐光性に優れた樹脂製にするのも良い。
【発明の効果】
【００１２】本発明に係る車体用断熱カバーによれば、空気入りシートと補強材を持つ簾と、補強材を挟み保持するクリップと、保持紐との構成で自動車車体の天板面に簡易的に取付できる。また、軟弱な樹脂製シートと簾の補強材取付部は爪付クリップの爪部を挟持することで補強されシート端部を弛みなく均一に張ることが出来るため、強風などによる装置の外れをなくし、車体の天面からの照射熱による自動車内の温度上昇を低下させたことにある。また、挟持部爪は凹凸に噛み合わせた成形形状を有した爪付クリップを備えたことにより、簾の補強材とシート凹凸面の両者を包含する状態で効果的にシートに食い込み挟持され両者が互いに補強し合い、連結された保持紐を強く引っ張っても外れにくくした。本発明によると、晴天時に自動車を屋外の駐車場で野ざらしで放置しても自動車内の温度上昇の不快感が緩和される。また、強風などで断熱シートが車体から吹き飛ばされることによる保持強度も改善された。
【図面の簡単な説明】
【図１】  本発明に係る車体用断熱カバーを自動車に装着した実施例を示す要部斜視図である。
【図２】  本発明に係る一実施例の正面図である。
【図３】  本発明に係る一実施例の側面断面図である。
【図４】  本発明に係る一実施例の爪付クリップの斜視図である。
【符号の説明】  １  車体用断熱カバー
３  空気入りシート
４  簾の補強材
５  簾
７  爪付クリップ
９  保持紐
１４  シートと補強材を包含する空間
１５  凹凸状にかみ合わせた成形形状の爪
【図１】
2013241168.tif 000003
【図２】
2013241168.tif 000004
【図３】
2013241168.tif 000005
【図４】
2013241168.tif 000006